(57)【要約】 【課題】  泥棒が扉の内部空間に位置する配線の露出配線部分を攻撃しても、容易に露出配線部分をカットすることができないこと。【解決手段】  電気錠本体と、扉側通電金具と、該扉側通電金具と電気錠本体との間に結線具を介して電気的に接続する配線とから成る扉用電気錠Ｘであって、電気錠本体の錠箱から所要量引き出し可能な信号線と扉側通電金具側の配線部材の一端部とを含むと共に結線具を有する露出配線部分を、錠箱に固定（固定可能も含む）された配線プロテクター（Ｙ〜Ｙ４）で全体的に包囲したことを特徴とする扉用電気錠。【選択図】  図１
2005171622.tif 000002
【特許請求の範囲】
【請求項１】
電気錠本体と、扉側通電金具と、該扉側通電金具と電気錠本体との間に結線具を介して電気的に接続する配線とから成る扉用電気錠Ｘであって、前記電気錠本体４の錠箱６から所要量引き出し可能な信号線１５と前記扉側通電金具９側の配線部材１７の一端部とを含むと共に前記結線具１６、２０を有する露出配線部分２９を、前記錠箱６に固定（固定可能も含む）された配線プロテクター（Ｙ〜Ｙ４）で全体的に包囲したことを特徴とする扉用電気錠。
【請求項２】
請求項１に於いて、配線プロテクターＹは、一端部２２ａが錠箱６の後壁６ｂから多少突出するように該錠箱６の一側壁６ａに固定された添設板２２と、この添設板２２に固定され、かつ、露出配線部分２９用開口部３０並びに配管１８用嵌合孔３１がそれぞれ形成されている包囲板２８とから成ることを特徴とする扉用電気錠。
【請求項３】
請求項１に於いて、配線プロテクターＹ１は、一端部２２ａが錠箱６の後壁６ｂから多少突出するように該錠箱６の一側壁６ａに固定された添設板２２と、この添設板２２に固定され、かつ、配管１８の一端部が嵌入可能な蛇腹状或いは短パイプ状の包囲筒２８Ａとから成ることを特徴とする扉用電気錠。
【請求項４】
請求項１に於いて、配線プロテクターＹ２の包囲板２８Ｂは、錠箱６に固定された添設板２２Ｂの一端部２２ａに形成されていることを特徴とする扉用電気錠。
【請求項５】
請求項１に於いて、配線プロテクターＹ３は、結線具を有する露出配線部分２９を収容する空間３５を設定することができるように端面Ｌ型あるいはチャンネル形状に形成されていることを特徴とする扉用電気錠。
【請求項６】
請求項１に於いて、配線プロテクターＹ４は、錠箱６に固定された添設板２２Ｄと、この添設板に固定された露出配線部分２９用の包囲板２８Ｄとから成り、前記添設板２２Ｄは、縦長嵌合部３７を介して錠箱６の取付け片１４の内壁面と対向或いは当接する中央部３５と、この中央部と直交する少なくとも１枚の対向側壁部３６とから構成され、また前記包囲板２８Ｄは、配管１８の一端部が嵌入可能な箱型或いはダクト形状に形成されていることを特徴とする扉用電気錠。
【請求項７】
請求項１に於いて、扉側通電金具用の配線プロテクターＺも設けられており、該配線プロテクターＺは、一端部２２ａが扉側通電金具９の一側壁９ｂから多少突出するように該扉側通電金具９の一側壁９ｂに固定された添設板２２Ｅと、この添設板に固定され、かつ、露出配線部分２９Ａを全体的に包む箱型或いは短パイプ状の包囲板２８Ｅとから構成されていることを特徴とする扉用電気錠。
【発明の詳細な説明】
【技術分野】
【０００１】
本発明は、扉用電気錠に関する。
【背景技術】
【０００２】
特許文献１には、本発明の前提要件が記載されている。すなわち、図１には、扉の自由端部の切欠部に内装された電気錠本体と、扉の枢着端部（蝶番）側の切欠部に内装された扉側通電金具と、該扉側通電金具と前記電気錠本体との間に結線具を介して電気的に接続する配線とから成る扉用電気錠が記載されている。
【０００３】
上記構成の扉用電気錠は、錠箱の後部から露出した信号線・メス側結線具及び配管から露出した通線・オス側結線具（結線具を有する露出配線部分）は、扉の内部空間では露呈している。
【０００４】
したがって、仮に泥棒が、電気錠の電気的信号を操作しようとすれば、配線結線具を有する露出配線部分を攻撃する可能性がある。例えば泥棒が露出配線部分を攻撃する場合、扉の外壁面からドリル、カッター等の工具を用い、露出配線部分を切断すれば、予備的手段（外部電源等）を用いて電気錠を解錠することができる。
【特許文献１】特開平１１−２００６７５号公報
【発明の開示】
【発明が解決しようとする課題】
【０００５】
本発明の第１の目的は、泥棒が扉の内部空間に位置する配線の露出配線部分を攻撃しても、容易に露出配線部分をカットすることができない扉用電気錠を提供することである。第２の目的は、配線プロテクターの構成がシンプルであると共に、露出配線部分の結線に支障のないことである。
【課題を解決するための手段】
【０００６】
本発明の扉用電気錠は、電気錠本体と、扉側通電金具と、該扉側通電金具と電気錠本体との間に結線具を介して電気的に接続する配線とから成る扉用電気錠Ｘであって、前記電気錠本体４の錠箱６から所要量引き出し可能な信号線１５と前記扉側通電金具９側の配線部材１７の一端部とを含むと共に前記結線具１６、２０を有する露出配線部分２９を、前記錠箱６に固定（固定可能も含む）された配線プロテクター（Ｙ〜Ｙ４）で全体的に包囲したことを特徴とする。
【０００７】
上記構成に於いて、配線プロテクターＹは、一端部２２ａが錠箱６の後壁６ｂから多少突出するように該錠箱６の一側壁６ａに固定された添設板２２と、この添設板２２に固定され、かつ、露出配線部分２９用開口部３０並びに配管１８用嵌合孔３１がそれぞれ形成されている包囲板２８とから成ることを特徴とする。また、配線プロテクターＹ１は、一端部２２ａが錠箱６の後壁６ｂから多少突出するように該錠箱６の一側壁６ａに固定された添設板２２と、この添設板２２に固定され、かつ、配管１８の一端部が嵌入可能な蛇腹状或いは短パイプ状の包囲筒２８Ａとから成ることを特徴とする。
【０００８】
また、配線プロテクターＹ２の包囲板２８Ｂは、錠箱６に固定された添設板２２Ｂの一端部２２ａに形成されていることを特徴とする。また、配線プロテクターＹ３は、結線具を有する露出配線部分２９を収容する空間３５を設定することができるように端面Ｌ型あるいはチャンネル形状に形成されていることを特徴とする。また、配線プロテクターＹ４は、錠箱６に固定された添設板２２Ｄと、この添設板に固定された露出配線部分２９用の包囲板２８Ｄとから成り、前記添設板２２Ｄは、縦長嵌合部３７を介して錠箱６の取付け片１４の内壁面と対向或いは当接する中央部３５と、この中央部と直交する少なくとも１枚の対向側壁部３６とから構成され、また、前記包囲板２８Ｄは、配管１８の一端部が嵌入可能な箱型或いはダクト形状に形成されていることを特徴とする。
【０００９】
さらに、扉側通電金具用の配線プロテクターＺも設けられており、該配線プロテクターＺは、一端部２２ａが扉側通電金具９の一側壁９ｂから多少突出するように該扉側通電金具９の一側壁９ｂに固定された添設板２２Ｅと、この添設板に固定され、かつ、露出配線部分２９Ａを全体的に包む箱型或いは短パイプ状の包囲板２８Ｅとから構成されている。
【発明の効果】
【００１０】
（１）扉用電気錠に於いて、泥棒が扉の内部空間に位置する配線の露出配線部分を攻撃しても、容易に露出配線部分をカットすることができない。したがって、防犯に優れている。
（２）配線プロテクターの構成が、単品又は二物品なので、製作コストを抑えることができると共に、配線プロテクターの包囲板が錠箱の後壁から突出状に固定（固定可能も含む）されているので、露出配線部分の結線に支障がない。
（３）請求項７に記載の実施例は、扉側通電金具９と前記電気錠本体４との間における配線の露出配線部分２９、２９Ａを全て保護できる。
【発明を実施するための最良の形態】
【００１１】
まず、発明の実施の環境と共に第１実施例を説明した後に、第２実施例乃至第５実施例を順番に説明する。なお、第２実施例、第３実施例等の説明に当たって、第１実施例の構成と同一の部分には同一又は同様の符合を付して重複する説明を省略する。また、第６実施例については、実施例の欄で説明する。
【００１２】
（１）発明の実施の環境
図１乃至図５は本発明の第１実施例である。本発明の扉用電気錠Ｘは、錠箱を有する電気錠本体４と、扉側通電金具９と、該扉側通電金具９と前記電気錠本体４との間に結線具１６、２０を介して電気的に接続する配線とから成る。
【００１３】
まず、図１に於いて、１は建物の扉用枠体、２は枠体１に複数個の蝶番３を介して開閉自在に設けられた扉、４は扉２の自由端部の切欠部に内装された電気錠本体、５は電気錠本体４の錠箱６の下部側に設けられたノブなどの操作部材、７は前記錠箱６の上部側又は下部側に設けられたシリンダ、８は枠体１の縦枠部１ａに設けられたストライク、一方、９は扉２の枢着端部の切欠部に内装された扉側通電金具、１０は枠体１の縦枠部１ｂに内装された枠体側通電金具、１１はコンクリートボックス、１２は枠体側の配線管である。
【００１４】
その他１３は前記錠箱６のフロント、１４はフロント１３に一体的に結合する長板状の取付け片である。デットボルト等や電気錠Ｘの内部構造については、発明の特定要件ではないので、説明を割愛する。
【００１５】
次に、図１乃至図５を参照にして電気錠Ｘの配線について説明する。１５は電気錠本体４の錠箱６から所要量引き出し可能な信号線で、該信号線１５の突出端部にはメス側結線具１６が固定的に設けられている。
【００１６】
一方、１７は扉側通電金具９側の配線部材で、この配線部材１７は、扉側通電金具９と錠箱６との間に配設された長い配管１８と、該配管１８内を貫通する通線（電線）１９と、この通線１９の突出端部に固定的に設けられたオス側結線具２０とから成る。
【００１７】
図４、図５等で示すように、電気錠Ｘの配線のメス側結線具１６とオス側結線具２０とを電気的に接続した場合には、後述する本発明の配線プロテクター（Ｙ〜Ｙ４）により、少なくとも錠箱６から露出した信号線１５・メス側結線具１６及び配管１８から露出した通線１９・オス側結線具２０（以下、「結線具を有する露出配線部分２９」という。）は全体的に包囲される。
【００１８】
（２）配線プロテクターＹ
結線具を有する露出配線部分２９を保護する配線プロテクターＹは、炭素綱を焼き入れ処理して形成された硬質防御部材である。この硬質防御部材Ｙの形態は、例えば板体、箱体、筒状体、板体と箱体との結合、板体と短パイプ状可撓性部材との結合、箱体と短パイプ部材との結合など色々と設計可能であるが、本実施例では配管１８の一端部も含め、結線具を有する露出配線部分を全体的にカバーする。
【００１９】
（３）配線プロテクターＹの具体的構成
図２及び図３で示すように、配線プロテクターＹは電気錠本体４の錠箱６とは別個に形成されている。すなわち、２２は錠箱６の幅広の一側壁６ａに複数個の固着具２３を介して固定される添設板である。この添設板２２は、例えば円形状、矩形状等に形成され、その幅寸法は前記一側壁６ａのそれ（幅寸法）よりも長い。したがって、図４で示すように添設板２２を錠箱６の一側壁６ａに固定した場合には、その一端部２２ａは錠箱６の後壁６ｂから多少突出する。
【００２０】
２４は固着具２３用の小貫通孔で、例えば左右の適宜個所に合計２個形成されている。これらの小貫通孔２４は錠箱６の幅広側壁６ａの上部側に形成した合計２個のメネジ孔２５と符合する。
【００２１】
２６は任意形状の開口で、この開口２６は、錠箱６のシリンダ用装着孔２７と符合する。錠箱６にシリンダ用装着孔２７が形成されていない場合（電気錠本体４がシリンダ７を具備しない場合）には該開口２６は不要である。
２８は添設板２２の一端部２２ａの内壁面に突出状態に固定された箱型の包囲板で、この箱型の包囲板２８は、結線具を有する露出配線部分２９を全体的に包囲する。
【００２２】
（４）箱型の包囲板
箱型包囲板２８の構成は、結線具１６、２０を有する露出配線部分２９を全体的に包囲することから、図５で示すように仮想線で示す添設板２２に固定された固定側に開口部３０が形成され、一方、開口部３０とは反対側の突出壁（傾斜壁）２８ａには嵌合孔３１が形成されている。
【００２３】
前記開口部３０は、錠箱６から引っ張り出した信号線１５・メス側結線具１６を容易に入れることができるような大きさに設定されている。一方、前記嵌合孔３１には、絶縁ブッシュ１８ａを有する配管１８の一端部が遊嵌合状態に嵌入する。
【００２４】
（５）結線具の電気的接続
普通一般に、配線を行う電気工事と電気錠Ｘを扉２に装着する建具工事とはそれぞれ別個に行われる。ここでは電気工事が既に完了（先行）し、その後に建具工事としての電気錠本体４と配線プロテクターＹとを扉２に装着する場合を説明する。
【００２５】
例えば、電気錠本体４を扉２の自由端部の切欠部に内装する前であって、その幅広側壁６ａに固着具２３を介して配線プロテクターＹを固着する前に、錠箱６から垂れ下がり状に露出した信号線１５・メス側結線具１６を箱型包囲板２８の開口部３０を介しかつ嵌合孔３１から引っ張り出す。
【００２６】
次に配管１８から垂れ下がり状に露出した通線１９・オス側結線具２０と前記メス側結線具１６とを連結する。次に箱型包囲板２８の嵌合孔３１に、少なくとも配管１８の一端部の絶縁ブッシュ１８ａが嵌合状態に入り込むようにセットする、或いは通線１９・オス側結線具２０の方を箱型包囲板２８の嵌合孔３２を介しかつ開口部３０から引っ張り出した上で前記信号線１５・メス側結線具１６と連結する。
【００２７】
次にメス側結線具１６とオス側結線具２０とを連結したならば、図５で示すように結線具を有する露出配線部分２９を箱型包囲板２８に押し込むようにして収納する。この場合にも箱型包囲板２８の嵌合孔３１に、少なくとも配管１８の一端部の絶縁ブッシュ１８ａが嵌合状態に入り込むようにする。
【００２８】
次に錠箱６の幅広側壁６ａに固着具２３を介して配線プロテクターＹを固着し、しかる後に電気錠本体４を扉２の自由端部の切欠部に固定的に内装する。なお、この結線具の電気的接続に於いて、電気錠本体４の錠箱６に予め配線プロテクターＹを固定した後、前述したような工程で結線具の電気的接続を実行しても良い。
【００２９】
（６）図６乃至図８は本発明の第２実施例である。
第２実施例の配線プロテクターＹ１が第１実施例のそれと主に異なる点は、箱型の包囲板が蛇腹状の包囲筒２８Ａに形成されていることである。この蛇腹状或いは短パイプ状の包囲筒２８Ａは、金属製であるが、多少の可撓性の性質を有し、又は可撓性を有しない。
【００３０】
包囲筒２８Ａは、図７で示すように添設板２２とは別部品であるが、溶接、固定バンド等の公知の固定手段を介して添設板２２の内壁面から突出するように固定（固定可能も含む。）されている。
【００３１】
そして、図８で示すように嵌合孔に相当する突出端部の開口３１Ａには、絶縁ブッシュ１８ａを有する配管１８の一端部が適宜に嵌入し、かつ、結線具を有する露出配線部分２９が包囲筒２８Ａに全体的に収納されている。なお、結線具の電気的接続については第１実施例と同様である。
【００３２】
（７）図９乃至図１１は本発明の第３実施例である。
第３実施例の配線プロテクターＹ２が第１実施例のそれと主に異なる点は、添設板２２Ｂの一端部２２ａに、両端開口の箱型包囲板２８Ｂを形成したことである。この箱型包囲板２８Ｂは前記一端部２２ａに突出する幅広の端板部を端面箱型（Ｃ型、チャンネル型等の把持型形状も含む。）に折り曲げて形成したものである。
【００３３】
したがって、配線プロテクターＹ２の箱型包囲板２２Ｂは、第１実施例のように添設板と別体に成形され、添設板の内壁面に固着具を介して一体的に固着されたものではない。なお、結線具の電気的接続については第１実施例と同様である。
【００３４】
（８）図１２乃至図１４は本発明の第４実施例である。
第４実施例の配線プロテクターＹ３が第１実施例のそれと主に異なる点は、配線プロテクターＹ３の形態をシンプルに形成したことである。すなわち、配線プロテクターＹ３は、上端面又は／及び下端面（この実施例では上下の端面）がチャンネル型形状に形成され、かつ、嵌合孔３１Ｃを有する中央の突出壁２８ａと錠箱６の後壁６ｂとの間に結線具を有する露出配線部分２９を収容する空間３４が設定されている。
【００３５】
したがって、配線プロテクターＹ３は、第１実施例のように二物品を一体的に結合したものではない。なお、この実施例に於いて、配線プロテクターＹ３の形態の一例として上下の端面がチャンネル型形状に形成されたものを説図したが、結線具を有する露出配線部分２９を収容する空間３５を設定することが可能である限り、例えば端面Ｌ型形状に形成しても良い。
【００３６】
（９）図１５乃至図１７は本発明の第５実施例である。
第５実施例の配線プロテクターＹ４が第１実施例のそれと主に異なる点は、配線プロテクターＹ４の添設板２２Ｄ及び包囲板２８Ｄの形状をそれぞれ設計変更したことである。
しかして、前記添設板２２Ｄは、錠箱６の取付け片１４の内壁面と対向或いは当接可能な中央部３５と、この中央部３５と直交する内外の対向側壁部３６、３６とから成り、前記中央部３５には錠箱６（ケース身及びケース蓋）に嵌め込むことが可能な縦長嵌合部（例えば嵌合孔）３７が形成されている。
【００３７】
また対向側壁部３６、３６には、上部側にシリンダ用装着孔２７と符合する開口２６の他に操作部材用の孔と符合する開口３８も形成されている。もちろん、前記開口３８は、添設板２２Ｄの縦方向の長さが短くなれば不要である。
【００３８】
一方、前記包囲板２８Ｄは箱型形状でも良いが、ダクト形状に形成されている。この実施例の配線プロテクターＹ４は、図１６、図１７で示すように添設板２２Ｄで錠箱６を全体的にカバーすると共に、ダクト状包囲板２８Ｄで結線具を有する露出配線部分２９の全体をカバーする。
【００３９】
なお、この実施例に於いても、配線プロテクターＹ４の添設板２２Ｄの一例として上下の端面がチャンネル型形状に形成されたものを説図したが、結線具を有する露出配線部分２９を収容する空間３５を設定することが可能である限り、例えば端面Ｌ型形状に形成しても良い。この点は、前述した第４実施例と同様である。
【実施例】
【００４０】
発明の実施の形態で示した第１実施例に於いて、配線プロテクターＹは、錠箱６の幅広側壁６ａに固着された場合を一例にして説明したが、配線プロテクターＹの固定個所を限定するものではなく、例えば錠箱６の後壁６ｂや上壁６ｃに固定しても良い。また配線プロテクターＹの嵌合孔３１の形成部位も限定するものではなく、箱型包囲板２８の突出壁２８ａの垂直側壁に形成しても良い。さらに、箱型包囲板２８の形態を箱型に限定するものではなく、例えば筒型形状であっても良い。
【００４１】
配線プロテクターＹは、要するに錠箱６に突出状態に固定され、かつ、結線具を有する露出配線部分２９を全体的にカバーすることができれば良い。
【００４２】
また、第２実施例の配線プロテクターＹ１に於いて、添設板も設計変更し、図１８で示すように、配線プロテクターＹ１（便宜上同一の符合Ｙ１を用いる）の内外一対の添設板２２Ａ、２２Ａをそれぞれ端面Ｌ型に形成し、これらの添設板２２Ａ、２２Ａの錠箱の後壁６ｂと対向する分割型突出壁２８ａ、２８ａに、蛇腹状の包囲板２８Ａを支持することが可能な弧状係合切欠４１、４１をそれぞれ形成しても良い。
【００４３】
さらに、本発明の電気錠Ｘは、錠箱を有する電気錠本体４と、扉側通電金具９と、該扉側通電金具９と前記電気錠本体４との間に於いて、結線具１６、２０を介して電気的に接続する配線部材とから成るので、配線プロテクターＹ１乃至Ｙ４を適宜に設計変更し、前記扉側通電金具９に配線プロテクターＺを固定することができる。
【００４４】
例えば図１９で示すように、第２実施例の配線プロテクターＹ１を適宜に設計変更した扉側通電金具用の配線プロテクターＺは、一端部２２ａが扉側通電金具９の一側壁９ａから多少突出するように該扉側通電金具９の一側壁９ｂに固定された添設板２２Ｅと、この添設板２２Ｅの内壁面に固定され、かつ、露出配線部分２９Ａを全体的に包む箱型或いは短パイプ状の包囲板２８Ｅとから構成されている（これを第６実施例とする）。
【００４５】
このように構成すると、扉側通電金具９ａと前記電気錠本体４との間における配線の露出配線部分２９、２９Ａを全て保護できる。
【産業上の利用可能性】
【００４６】
本発明は、主に扉の建具工事（電気錠の取付け）をする業界で利用される。
【図面の簡単な説明】
【００４７】
図１乃至図５は本発明の第１実施例を示す各説明図、図６乃至図８は本発明の第２実施例を示す各説明図、図９乃至図１１は本発明の第３実施例を示す各説明図、図１２乃至図１４は本発明の第４実施例を示す各説明図、図１５乃至図１７は本発明の第５実施例を示す各説明図、図１８は第２実施例の設計変更を示す説明図である。図１９は、本発明に付加的要件を加味した第６実施例である。
【図１】第１実施例扉の正面側（外壁側）から見た実施の環境を示す概略説明図。
【図２】第１実施例の電気錠本体、配線プロテクターＹ等の斜視からの分解説明図。
【図３】電気錠本体、配線プロテクターＹ等の正面からの分解説明図。
【図４】扉の正面側（外壁側）から見た主要部の概略説明図。
【図５】図４に於いて、配線プロテクターＹの包囲板（要部）の概略断面説明図。
【図６】第２実施例の配線プロテクターＹ１の斜視図。
【図７】配線プロテクターＹ１の斜視からの分解説明図。
【図８】実施形態の一例を示す主要部の概略説明図。
【図９】第３実施例の配線プロテクターＹ２の斜視図。
【図１０】配線プロテクターＹ２の正面からの説明図。
【図１１】実施形態の一例を示す主要部の概略説明図。
【図１２】第４実施例の配線プロテクターＹ３の斜視図。
【図１３】扉の正面側（外壁側）から見た主要部の概略説明図。
【図１４】図１３に於いて、配線プロテクターＹ３の包囲板（要部）の概略断面説明図。
【図１５】第４実施例の配線プロテクターＹ４の斜視図。
【図１６】扉の正面側（外壁側）から見た主要部の概略説明図。
【図１７】図１６に於いて、配線プロテクターＹ３の包囲板（要部）の概略断面説明図。
【図１８】第２実施例の設計変更を示す説明図。
【図１９】第６実施例の実施の環境を示す概略説明図。
【符号の説明】
【００４８】
Ｘ…電気錠、Ｙ〜Ｙ４、Ｚ…配線プロテクター、1…扉用枠体、２…扉、４…電気錠本体、９…扉側通電金具、６…錠箱、６ａ…錠箱の一側壁、６ｂ…錠箱の後壁、１５…信号線、１６、２０…結線具、１７…配線部材、１８…長い配管、１９…通線、２２…添設板、２２ａ…添設板の一端部、２３…固着具、２８…包囲板、２９…結線具を有する露出配線部分、２９Ａ…露出配線部分、３０…固定側の開口部、３１…嵌合孔。
【図１】
2005171622.tif 000003
【図２】
2005171622.tif 000004
【図３】
2005171622.tif 000005
【図４】
2005171622.tif 000006
【図５】
2005171622.tif 000007
【図６】
2005171622.tif 000008
【図７】
2005171622.tif 000009
【図８】
2005171622.tif 000010
【図９】
2005171622.tif 000011
【図１０】
2005171622.tif 000012
【図１１】
2005171622.tif 000013
【図１２】
2005171622.tif 000014
【図１３】
2005171622.tif 000015
【図１４】
2005171622.tif 000016
【図１５】
2005171622.tif 000017
【図１６】
2005171622.tif 000018
【図１７】
2005171622.tif 000019
【図１８】
2005171622.tif 000020
【図１９】
2005171622.tif 000021